(57)【特許請求の範囲】
【請求項１】
顧客に対面する入出金口の形式が異なり内部搬送路と係合する紙幣繰入口を有する紙幣繰入部がユニット化された複数の一時集積部のうち、いずれであっても一つだけ着脱可能な装着部を有し、該装着部に前記複数の一時集積部のいずれか一つが装着されたとき前記紙幣繰入口に係合する紙幣送出搬送路口を有する本体装置であって、
前記紙幣送出搬送路口は、断面が平行して形成され紙幣を上下から案内する送出口の端部の所定の範囲の部分が櫛歯状に形成され、
前記紙幣繰入部は、
紙幣を上下から案内する前記紙幣繰入口を、断面が平行する平行部と該平行部に連続する外方向に末広がりの傾斜部とで形成され、該傾斜部と該傾斜部に連続する前記平行部の所定の範囲の部分が櫛歯状に形成され、
前記複数の一時集積部のいずれか一つが前記本体装置の前記装着部に装着されるべく回動支持軸に支持されて回動したとき、
前記紙幣繰入口の前記櫛歯状に形成された櫛歯部の各櫛歯が、前記紙幣送出搬送路口の前記櫛歯状に形成された櫛歯部の各櫛歯と櫛歯の間隙に嵌入し、且つ前記紙幣を上下から案内する繰入口の前記平行部の上下の中心線の延長が、前記紙幣送出搬送路口の断面が平行して形成された前記紙幣送出搬送路口の端部の上下の中心線とほぼ一致するように位置設定されるよう構成され、
前記紙幣送出搬送路口の前記送出口は、回動部材に支持されて回動するよう構成され、
前記回動部材は、回動支点をヒンジに支持され回動自由端部に摺接部材を備えて構成され、
前記摺接部材は装着時に回動する前記紙幣繰入口の係合部に当接し押圧されて摺動しながら前記回動部材を回動させ、該回動部材を介して前記送出口を回動させ、該送出口の上下の中心線が前記紙幣繰入口の前記平行部の上下の中心線の延長とほぼ一致する位置に前記送出口を設定する、
ことを特徴とする紙葉類取扱装置。
【請求項２】
顧客に対面する入出金口の形式が異なり内部搬送路と係合する紙幣繰入口を有する紙幣繰入部がユニット化された複数の一時集積部のうち、いずれであっても一つだけ着脱可能な装着部を有し、該装着部に前記複数の一時集積部のいずれか一つが装着されたとき前記紙幣繰入口に係合する紙幣送出搬送路口を有する本体装置であって、
前記紙幣送出搬送路口は、断面が平行して形成され紙幣を上下から案内する送出口の端部の所定の範囲の部分が櫛歯状に形成され、
前記紙幣繰入部は、
紙幣を上下から案内する前記紙幣繰入口を、断面が平行する平行部と該平行部に連続する外方向に末広がりの傾斜部とで形成され、該傾斜部と該傾斜部に連続する前記平行部の所定の範囲の部分が櫛歯状に形成され、
前記複数の一時集積部のいずれか一つが前記本体装置の前記装着部に装着されるべく回動支持軸に支持されて回動したとき、
前記紙幣繰入口の前記櫛歯状に形成された櫛歯部の各櫛歯が、前記紙幣送出搬送路口の前記櫛歯状に形成された櫛歯部の各櫛歯と櫛歯の間隙に嵌入し、且つ前記紙幣を上下から案内する繰入口の前記平行部の上下の中心線の延長が、前記紙幣送出搬送路口の断面が平行して形成された前記紙幣送出搬送路口の端部の上下の中心線とほぼ一致するように位置設定されるよう構成され、
前記複数の一時集積部は、それぞれ同一構成の紙幣繰出口を有する紙幣繰出部を備え、
前記本体装置は、前記紙幣繰出口に係合する紙幣受入搬送路口を備え、
前記紙幣受入搬送路口は、紙幣を表裏から挟む形で案内する受入口を、断面が平行する平行部と該平行部に連続する外方向に末広がりの傾斜部とで形成され、該傾斜部と該傾斜部に連続する前記平行部の所定の範囲の部分が櫛歯状に形成され、
前記紙幣繰出部の前記紙幣繰出口は、断面が平行して形成され、紙幣を表裏から挟む形で案内する繰出口の所定の範囲の部分が櫛歯状に形成され、
前記複数の一時集積部のいずれか一つが前記本体装置の前記装着部に装着されるべく回動支持軸に支持されて回動したとき、
前記紙幣繰出口の前記櫛歯状に形成された櫛歯部の各櫛歯が、前記紙幣送出搬送路口の前記櫛歯状に形成された櫛歯部の各櫛歯と櫛歯の間隙に嵌入し、且つ前記紙幣を表裏から案内する前記平行して形成された繰出口の平行中心線の延長が、前記紙幣受入搬送路口の前記平行部の中心線とほぼ一致するように位置設定され、
前記紙幣繰出部の前記紙幣繰出口は、回動部材に支持されて回動するよう構成され、
前記回動部材は回動支点をヒンジに支持され回動自由端部に摺接部材を備えて構成され、
前記摺接部材は装着時に回動する前記紙幣繰出部と共に回動方向に移動しながら、前記紙幣受入搬送路口の係合部に当接し押圧されて摺動しながら前記回動部材を介して前記紙幣繰出口を紙幣繰出位置に回動させ、前記平行して形成された前記紙幣繰出口の平行中心線の延長が、前記紙幣受入搬送路口の平行中心線とほぼ一致する位置に前記紙幣繰出口を設定する、
ことを特徴とする紙葉類取扱装置。
【発明の詳細な説明】
【技術分野】
【０００１】
本発明は、それぞれ異なる形式で構成された複数種類の一時集積部をユニット化して着脱自在に交換可能にする紙葉類取扱装置に関する。
【背景技術】
【０００２】
従来、例えば、金融機関等で使用されているＡＴＭ(automated telling machine) などに搭載されている紙幣収納繰出装置がある。また、駅構内等に設置されている券売機などにも紙葉類繰出装置が搭載されている。【０００３】
このような紙葉類取扱装置の紙幣挿入口（出金口にもなる）には、１枚の紙幣又は複数枚重ねられた紙幣束を横長の状態で水平方向に挿入されるいわゆる「スロット型」と称される形式のものと、同じく紙幣束が横長の状態であるが、ほぼ垂直方向に挿入されるいわゆる「ポケット型」と称される形式のものとがある。【０００４】
スロット型の紙葉類取扱装置としては、入金された複数の紙葉類を一括して搬送ベルトで挟み、整列させて一時的に保持し、この保持した紙幣束を、上下２つのガイド部材で形成される紙幣受取空間に押し出し、２つのガイド部材が下方に移動して紙幣束を鑑別部に繰り出すようにした紙葉類収納装置が提案されている。（例えば、特許文献１参照。）【０００５】
この特許文献１の紙葉類取扱装置は、例えばユーロ紙幣などのように、額面に応じてサイズの異なる紙幣を一括して束で出金する場合、所定の枚数を金種別に紙幣を集積してあるスタッカやカセットから、繰出し機構により搬送路に繰り出し、搬送路から更に最大サイズの紙幣に合わせた一定サイズの一時集積部に紙幣を集積し、それから一括して顧客に渡すように構成されている。【０００６】
また、ポケット型の紙葉類取扱装置としては、入金された紙幣を、一時集積部に収納し、この一時集積部に収納した入金紙幣束をフィードローラとゲートローラからなる分離機構により紙幣を一枚ごとに分離し、ピンチローラ、フィードローラ、駆動ローラ等によって、搬送路を介して鑑別部に繰出すように構成されものが提案されている。（例えば、特許文献２参照。）【０００７】
この特許文献２の紙葉類取扱装置は、紙幣の出金時には、スタックローラとバックアップローラによって金種毎に収納部から取り出された紙幣が一時集積部に順序良く一枚ごと繰込まれ、後端部をブラシローラの羽根に叩かれて、後続の紙幣と衝突しないようにして順次集積され、それから一括して顧客に渡すように構成されている。【０００８】
ところで、紙葉類取扱装置の紙葉類の受入れと払出しを行う一時集積部には、受入れ時に紙葉類を鑑別部に一枚ごとに送り出す繰出機構部と、払出し時に所定の金種と枚数を一時集積部に集積する繰入機構部とが設けられている。【０００９】
また、繰出機構部及び繰入機構部ともに、外部搬送路との連結部の位置決めが正確に行われていないと、連結部における紙葉類の受け渡しが円滑に行われず、引っ掛かりや衝突によるジャムを引き起こしやすい。【００１０】
したがって、スロット型やポケット型のように異なる形式の紙葉類取扱装置に対してはそれぞれスロット型又はポケット型の繰出機構部及び繰入機構部の受け渡し部と、外部搬送路との連結部を形成する個別の紙葉類取扱装置を開発して、一時集積部と外部搬送路との間の位置決めの正確さを確保していた。【００１１】
しかし、このように紙葉類取扱装置の形式が異なるごとに、紙葉類取扱装置本体の内部構造が異なるのでは、販売代理店が顧客の要望に迅速に対応するには顧客の需要を想定して完成品の在庫を異なる形式ごとに抱えておかなければならない。【００１２】
同様に、工場が販売代理店の要望に迅速に対応するには、工場側では、異なる形式ごとにそれぞれ部品を揃えておかなくてはならない。いずれの場合も販売回転率や生産回転率の低下を招いてコスト高となり不経済である。【００１３】
もっとも、通常、紙葉類取扱装置は、入金された紙幣を一時集積部の底部から一枚毎に繰り出して鑑別部で鑑別したのち、リサイクル可能な正常紙幣、正常であってもリサイクルに不向きな紙幣、汚れ破れ等の破損が大きいが顧客に返却せずに後刻行内で良品と交換すべき紙幣等を大量に収容して集積するための複数の大型集積収容器を搭載した下部モジュールを備えている。この下部モジュールは、共通化が可能である。【００１４】
しかし、スロット型やポケット型のように異なる形式の一時集積部を有する上部モジュールは、前述した一時集積部と外部搬送路との間の位置決めの正確さを確保する必要があるため共通化が困難である。【００１５】
図７(a)は、一時集積部を交換可能な一時集積部ユニットとしてユニット化したと想定したときの、一時集積部ユニットを上部モジュールの装着部に装着する際の、一時集積部ユニットの繰入機構部の繰入口と外部搬送路の送出口との動作状態を示す図であり、図７(b),(c)は紙幣を外部搬送路の送出口から一時集積部ユニットの繰入口に繰り入れる際に発生するジャム等の不具合を示す図である。【００１６】
図７(a)は、一時集積部ユニットを、不図示のヒンジ部を支点として回動させ、上部モジュールの装着部に装着中の図である。図には、外部搬送路の送出口１、一時集積部ユニットの繰入口２の平行部２ａと末広がり部２ｂ、矢印ａで示す回動方向、破線で示す正常な装着位置２´、正常な装着位置における外部搬送路の送出口１と一時集積部ユニットの繰入口２の中心線ｂを示している。【００１７】
図７(b)は、一時集積部ユニットを上部モジュールの装着部に装着したものの、装着が不完全で、一時集積部ユニットの繰入口２の中心線ｂ´が、本来の中心線である外部搬送路の送出口１の中心線ｂと一致せず、位置ズレが生じている状態を示している。そのため送出口１から送出された紙幣３の先端が繰入口２の末広がり部２ｂに衝突している。この衝突がジャムの要因となることは明らかである。【００１８】
図７(c)は、一時集積部ユニットが上部モジュールの装着部に正しく装着された場合を示している。装着状態が正しいので外部搬送路の送出口１と一時集積部ユニットの繰入口２の中心線が正しい中心線ｂと一致している。【００１９】
しかし、回動装着時の非接触の間隙が必要なため、装着後も双方の間には、外部搬送路の送出口１の端部と、一時集積部ユニットの繰入口２の平行部２ａと末広がり部２ｂとの境界部との間に間隙ｃが形成されている。【００２０】
本来、末広がり部２ｂは紙葉類の受入れ案内部としてほぼ必須な形状とされている部分である。しかし、紙幣３に曲がり癖等が付いていると、この間隙ｃで紙幣３の先端が垂れ下がり末広がり部２ｂに衝突する。この衝突もジャムの要因となることは明らかである。【００２１】
ポケット型の一時集積部ユニットを想定した場合は、一時集積部に紙幣を投入する顧客の投入操作性の良さと投入紙幣に対する視認性の良さから、一時集積部は斜め下向きに構成される場合が多い。したがって、その紙幣の繰出口も斜め下向きとなる。【００２２】
図８(a)は、ポケット型の一時集積部をユニット化したと想定したときの、不図示のヒンジ部を支点として回動させ、上部モジュールの装着部に装着中の図である。【００２３】
図８(a)には、外部搬送路の受入口４の平行部４ａと末広がり部４ｂ、一時集積部ユニットの繰出口５、矢印ｄで示す回動方向、破線で示す正常な装着位置５´、正常な装着位置における外部搬送路の送出口４と一時集積部ユニットの繰出口５の中心線ｅを示している。【００２４】
図８(b)は、一時集積部ユニットを上部モジュールの装着部に装着したものの、装着が不完全で、一時集積部ユニットの繰出口５の中心線ｅ´が、本来の中心線である外部搬送路の受入口４の中心線ｅと一致せず、位置ズレが生じている状態を示している。そのため繰出口５から繰出された紙幣３の先端が受入口４の末広がり部４ｂに衝突している。この衝突がジャムの要因となることは明らかである。【００２５】
図８(c)は、一時集積部ユニットが上部モジュールの装着部に正しく装着された場合を示している。装着状態が正しいので外部搬送路の受入口４と一時集積部ユニットの繰出口５の中心線が正しい中心線ｅと一致している。【００２６】
しかし、回動装着時の非接触の間隙が必要なため、装着後も双方の間には、外部搬送路の受入口４の平行部４ａと末広がり部４ｂとの境界部と、一時集積部ユニットの繰出口５の端部との間に間隙ｆが形成されている。したがって、紙幣３に曲がり癖等が付いていると、この間隙ｆで紙幣３の先端が垂れ下がり末広がり部４ｂに衝突する。この衝突もジャムの要因となることは明らかである。
【先行技術文献】
【特許文献】
【００２７】
【特許文献１】特開平０５−１８６１２６号公報
【特許文献２】特開２０００−９９７９５号公報
【発明の概要】
【発明が解決しようとする課題】
【００２８】
一時集積部を交換性のあるユニットにしても、上記のような不具合を発生させる要因があるため、異なる形式の一時集積部を有する上部モジュールは、一時集積部と外部搬送路との間の位置決めの正確さを確保する必要があるため個々に設計して組み立てる必要があり、共通化が困難であるという解決すべき課題があった。【００２９】
本発明は、上記従来の課題を解決するものであって、それぞれ異なる形式で構成された複数の一時集積部をユニット化して着脱自在に交換可能にする紙葉類取扱装置を提供することを目的とする。
【課題を解決するための手段】
【００３０】
上記課題を解決するために、本発明の紙葉類取扱装置は、顧客に対面する入出金口の形式が異なり内部搬送路と係合する紙幣繰入口を有する紙幣繰入部がユニット化された複数の一時集積部のうち、いずれであっても一つだけ着脱可能な装着部を有し、該装着部に上記複数の一時集積部のいずれか一つが装着されたとき上記紙幣繰入口に係合する紙幣送出搬送路口を有する本体装置であって、上記紙幣送出搬送路口は、断面が平行して形成され紙幣を上下から案内する送出口の端部の所定の範囲の部分が櫛歯状に形成され、上記紙幣繰入部は、紙幣を上下から案内する上記紙幣繰入口を、断面が平行する平行部と該平行部に連続する外方向に末広がりの傾斜部とで形成され、該傾斜部と該傾斜部に連続する上記平行部の所定の範囲の部分が櫛歯状に形成され、上記複数の一時集積部のいずれか一つが上記本体装置の上記装着部に装着されるべく回動支持軸に支持されて回動したとき、上記紙幣繰入口の上記櫛歯状に形成された櫛歯部の各櫛歯が、上記紙幣送出搬送路口の上記櫛歯状に形成された櫛歯部の各櫛歯と櫛歯の間隙に嵌入し、且つ上記紙幣を上下から案内する繰入口の上記平行部の上下の中心線の延長が、上記紙幣送出搬送路口の断面が平行して形成された上記送出搬送路口の端部の上下の中心線とほぼ一致するように位置設定されるよう構成される。【００３１】
この紙葉類取扱装置において、上記複数の一時集積部は、それぞれ同一構成の紙幣繰出口を有する紙幣繰出部を更に備え、上記本体装置は、上記紙幣繰出口に係合する紙幣受入搬送路口を更に備え、上記紙幣受入搬送路口は、紙幣を表裏から挟む形で案内する受入口を、断面が平行する平行部と該平行部に連続する外方向に末広がりの傾斜部とで形成され、該傾斜部と該傾斜部に連続する上記平行部の所定の範囲の部分が櫛歯状に形成され、上記紙幣繰出部の上記紙幣繰出口は、断面が平行して形成され、紙幣を表裏から挟む形で案内する繰出口の所定の範囲の部分が櫛歯状に形成され、上記複数の一時集積部のいずれか一つが上記本体装置の上記装着部に装着されるべく回動支持軸に支持されて回動したとき、上記紙幣繰出口の上記櫛歯状に形成された櫛歯部の各櫛歯が、上記紙幣送出搬送路口の上記櫛歯状に形成された櫛歯部の各櫛歯と櫛歯の間隙に嵌入し、且つ上記紙幣を表裏から案内する上記平行して形成された繰出口の平行中心線の延長が、上記紙幣受入搬送路口の上記平行部の中心線とほぼ一致するように位置設定される、よう構成される。【００３２】
また、この紙葉類取扱装置において、例えば、上記紙幣送出搬送路口の上記送出口は、回動部材に支持されて回動するよう構成され、上記回動部材は、回動支点をヒンジに支持され回動自由端部に摺接部材を備えて構成され、上記摺接部材は装着時に回動する上記紙幣繰入口の係合部に当接し押圧されて摺動しながら上記回動部材を回動させ、該回動部材を介して上記送出口を回動させ、該送出口の上下の中心線が上記紙幣繰入口の上記平行部の上下の中心線の延長とほぼ一致する位置に上記送出口を設定する、ように構成される。【００３３】
また、この紙葉類取扱装置において、例えば、上記紙幣繰出部の上記紙幣繰出口は、回動部材に支持されて回動するよう構成され、上記回動部材は回動支点をヒンジに支持され回動自由端部に摺接部材を備えて構成され、上記摺接部材は装着時に回動する上記紙幣繰出部と共に回動方向に移動しながら、上記紙幣受入搬送路口の係合部に当接し押圧されて摺動しながら上記回動部材を介して上記紙幣繰出口を紙幣繰出位置に回動させ、上記平行して形成された上記紙幣繰出口の平行中心線の延長が、上記紙幣受入搬送路口の平行中心線とほぼ一致する位置に上記紙幣繰出口を設定する、ように構成される。
【発明の効果】
【００３４】
本発明によれば、それぞれ異なる形式で構成された複数種類の一時集積部をユニット化して着脱自在に交換可能にする紙葉類取扱装置を提供することが可能となる。
【図面の簡単な説明】
【００３５】
【図１】本発明の実施例１に係る紙葉類取扱装置の複数種類の一時集積部ユニットのうち、(a)は入出金口がスロット型の一時集積部ユニットを装着された紙葉類取扱装置を、(b)は入出金口がポケット型の一時集積部ユニットを装着された紙葉類取扱装置を、それぞれ顧客と共に示す図である。
【図２】(a)は図１(a)の紙葉類取扱装置の構成を示す拡大断面図、(b)は図１(b)の紙葉類取扱装置の構成を示す拡大断面図である。
【図３】(a)は実施例１に係る一時集積部ユニットが上部モジュールに装着のため回動を開始したことに伴って紙幣繰入口が紙幣送出搬送路口に向けて回動を始めた図、(b)は回動が進んで紙幣繰入口が紙幣送出搬送路口に係合し始めた図、(c)は回動と係合が完了した図、(d)は(c)の紙幣を除いて示すＡ−Ａ´断面矢視図である。
【図４】図３(a)〜(d)に示した係合部の構成を複数種類の一時集積部ユニットの紙幣繰出口と上部モジュールの紙幣受入搬送路口に適用した図である。
【図５】(a)は実施例２に係る一時集積部ユニットが上部モジュールに装着のため回動を開始したことに伴って紙幣繰入口が紙幣送出搬送路口に向けて回動を始めた図、(b)は回動が進んで紙幣繰入口が紙幣送出搬送路口に係合し始めた図、(c)は回動と係合が完了した図、(d)は(c)の紙幣を除いて示すＢ−Ｂ´断面矢視図である。
【図６】図５(a)〜(d)に示した係合部の構成を複数種類の一時集積部ユニットの紙幣繰出口と上部モジュールの紙幣受入搬送路口に適用した図である。
【図７】(a)は従来の一時集積部をユニット化したと想定したときの上部モジュールへの装着動作を示す図、(b)は装着に位置ズレが生じて紙幣が外部搬送路に衝突している図、(c)は装着は正しいが曲がり癖等のある紙幣が外部搬送路に衝突している図である。
【図８】(a)は従来のポケット型の一時集積部をユニット化したと想定したときの上部モジュールへの装着動作を示す図、(b)は装着に位置ズレが生じて紙幣が外部搬送路に衝突している図、(c)は装着は正しいが曲がり癖等のある紙幣が外部搬送路に衝突している図である。
【発明を実施するための形態】
【００３６】
以下、本発明の実施の形態について、図面を参照しながら詳細に説明する。
【実施例１】
【００３７】
図１(a)は、実施例１に係る複数種類のユニット化した一時集積部とこれら一時集積部ユニットを交換可能に装着する紙葉類取扱装置において、入出金口がスロット型の一時集積部ユニットを装着された紙葉類取扱装置を、紙葉類取扱装置設置装置と紙葉類取扱装置を利用する顧客と共に示す図である。【００３８】
図１(b)は、実施例１に係る複数種類のユニット化した一時集積部とこれら一時集積部ユニットを交換可能に装着する紙葉類取扱装置において、入出金口がポケット型の一時集積部を装着された紙葉類取扱装置を、紙葉類取扱装置設置装置と紙葉類取扱装置を利用する顧客と共に示す図である。【００３９】
尚、以下の説明では、紙葉類取扱装置をＡＴＭ(automated telling machine) として説明する。図１(a)に示すように、ＡＴＭ１０は、頑丈な防護壁１１を有するＡＴＭ設置装置１２の内部に格納されている。ＡＴＭ設置装置１２の前部外壁にはシャッタ（不図示）を備えた入出金口孔１３が形成されている。【００４０】
その入出金口孔１３に、ＡＴＭ１０の一時集積部ユニット１４のスロット型の入出金口１５が配置されている。図１(a)は、ＡＴＭ１０を利用する顧客１６が入出金口１５に、両方向矢印ｇで示すように、紙幣を挿入した直後、又は紙幣を取り出した直後の状態を示している。【００４１】
また、図１(b)に示すように、入出金口がポケット型の一時集積部ユニット１７を装着されたＡＴＭ１０の場合は、やや形状は異なるが上記と同じように頑丈な防護壁１１を有するＡＴＭ設置装置１８の内部に格納されている。【００４２】
ＡＴＭ設置装置１８の斜め下方に傾斜する前部外壁１９には、横断面図のため定かには見えないシャッタを備えた入出金口が形成されている。この入出金口の下方に、ＡＴＭ１０の一時集積部ユニット１７のポケット型入出金口２１が形成されている。【００４３】
図１(b)は、ＡＴＭ設置装置１８に格納されているＡＴＭ１０を利用する顧客１６が、入出金口２１に、両方向矢印ｈで示すように、紙幣を挿入した直後、又は紙幣を取り出した直後の状態を示している。【００４４】
図２(a)は、図１(a)に示す一時集積部ユニット１４を装着したＡＴＭ１０の構成を示す拡大断面図であり、図２(b)は、図１(b)に示す一時集積部ユニット１７を装着したＡＴＭ１０の構成を示す拡大断面図である。【００４５】
図２(a),(b)に示すように、ＡＴＭ１０は、上部モジュール２２と下部モジュール２３とに別れている。尚、図２(a),(b)に示すＡＴＭ１０は、一時集積部ユニット１４又は１７以外は、構成は同一であるので、図２(a)を主体にして構成を簡略に説明する。【００４６】
上部モジュール２２の前端上部には、図２(a),(b)に実線で示す一時集積部ユニット１４又は１７が着脱自在に装着される、尚、破線で示す一時集積部ユニット１４又は１７は装着部へ装着途中または装着部から脱抜途中の状態を示している。【００４７】
図２(a)に示す一時集積部ユニット１４は、上部モジュール２２側に設けられているヒンジ２４に係合し、ヒンジ２４を支点にして、破線位置から矢印ｉで示すように反時計回り方向に回動して、実線位置に装着される。【００４８】
このとき、詳しくは後述するが、一方では、一時集積部ユニット１４の紙幣繰入口２５が上部モジュール２２の紙幣送出搬送路口２６に係合する。他方では、一時集積部ユニット１４の紙幣繰出口２７が上部モジュール２２の紙幣受入搬送路口２８に係合する。【００４９】
一時集積部ユニット１４には、特には図示しないが、紙幣搬送台と、入出金口１５と紙幣繰出部２９間を往復移動する紙幣搬送台の移動を駆動するモータと、その往復移動を案内するガイドレール等が設けられている。【００５０】
また、図２(a),(b)に示す矢印付きの太線は、紙幣の搬送経路を示している。紙幣搬送経路は、特には図示しないが、紙幣を搬送する搬送ベルト、紙幣を案内する複数のローラ、これらローラに搬送ベルトを介して圧接する単体ローラ、相互に圧接して紙幣を搬送するローラ対、方向切替ゲート等からなる。【００５１】
図１(a)に示した顧客１６から入出金口１５に挿入された紙幣（又は紙幣束）は、上述した搬送台に載置され、搬送経路ｊ及びｋを通って紙幣繰出部２９に搬送される。紙幣繰出部２９では、搬送台上の紙幣が、一枚ごとに紙幣繰出口２７から紙幣受入搬送路口２８に繰出される。【００５２】
紙幣受入搬送路口２８に繰出された紙幣は、搬送経路ｍを搬送されて、図示を省略した鑑別部の搬送経路ｎに搬入される。鑑別部で金種や適合・不適合等を鑑別された紙幣は、その鑑別結果に従って方向を切替えられたゲートに案内されて、搬送経路ｏ又はｐにより搬送される。【００５３】
鑑別結果が正常券と鑑別された紙幣は、搬送経路ｏ、ｐと搬送されて不図示の正常券一時保留部に収容される。また、鑑別結果が受付不可券と鑑別された紙幣は、搬送経路ｖ、ｒに搬送されて不可券一時保留部２０に収容される。【００５４】
入出金口１５から挿入された紙幣の鑑別が全て終了したときは、不可券一時保留部２０に収容された紙幣が、空の状態で紙幣繰出部２９に待機している搬送台に載置される。【００５５】
搬送台が入出金口１５に返送され、受付不可券が顧客１６に返却される。その後、顧客１６が正常券一時保留部にある正常券のみ預金するよう不図示の入力パネルから指示したときは、正常券一時保留部から正常券が繰り出され、搬送経路ｑ、ｓ、ｎを通って再び鑑別部を通過し、搬送経路ｔに送り出される。【００５６】
搬送経路ｔより先には、下部モジュール２３の搬送路が接続されている。下部モジュール２３には、特には図示しないが、ほぼ全体を占めるように、大型集積収容器である４個のリサイクルカセットが設けられている。そして、その後方の空間に、鑑別不合格券やリサイクルしない紙幣などを収容する３個のリジェクトボックスが設けられている。【００５７】
搬送経路ｔに送り出された紙幣のうち、例えば千円又は１万円の様なリサイクル率が高い紙幣と鑑別された紙幣は所定のリサイクルカセットに収容される。また、リサイクル率の低い（例えば二千円、五千円）金種と鑑別された紙幣や、後刻銀行側で交換が必要な汚れ等の不良紙幣と鑑別された紙幣は、所定のリジェクトボックスに収容される。【００５８】
紙幣を顧客１６に払い出すときは、顧客１６が所望する金種と枚数の紙幣が対応するリサイクルカセットから取り出され、搬送経路ｕ、ｍ、ｎ、ｖ、ｒを通って、空の状態で紙幣繰出部２９に待機している搬送台に載置され、載置された紙幣が搬送台と共にが入出金口１５に送り出される。【００５９】
図２(b)に示す一時集積部ユニット１７は、上部モジュール２２側に設けられているヒンジ２４に係合し、ヒンジ２４を支点にして、破線位置から矢印ｗで示すように反時計回り方向に回動して、実線位置に装着される。尚、一時集積部ユニット１７は、そのままの状態で、上部がポケット型の入出金口２１、下部が紙幣繰出部２９を形成している。【００６０】
この場合も、図２(a)の一時集積部ユニット１４の場合と同様に、一方では、一時集積部ユニット１７の紙幣繰入口２５が上部モジュール２２の紙幣送出搬送路口２６に係合する。他方では、一時集積部ユニット１７の紙幣繰出口２７が上部モジュール２２の紙幣受入搬送路口２８に係合する。その他の動作は図２(a)の場合と同一である。【００６１】
上述した一時集積部ユニット１４及び１７の紙幣繰入口２５の構成は、それぞれ同一であり、また一時集積部ユニット１４及び１７の紙幣繰出口２７の構成も、それぞれ同一である。【００６２】
そして、一時集積部ユニット１４及び１７の紙幣繰入口２５又は紙幣繰出口２７と、上部モジュール２２の紙幣送出搬送路口２６又は紙幣受入搬送路口２８との係合部の構成が本発明特有の構造となっているため、細かい調整を行うことなく、一時集積部ユニット１４又は１７を上部モジュール２２の装着部に容易に装着することができる。以下、これについて説明する。【００６３】
図３(a)は、一時集積部ユニット１４又は１７が、上部モジュール２２に装着のため、図２(a)又は(b)の矢印ｉ又はｗで示すように回動を開始したことに伴って、実施例１に係る紙幣繰入口２５が実施例１に係る紙幣送出搬送路口２６に向けて回動を開始したことを示す図である。【００６４】
図３(b)は、上記の回動が進んで、紙幣繰入口２５が紙幣送出搬送路口２６に係合し始めた状態を示す図、図３(c)は回動と係合が完了した状態を示す図、図３(d)は(c)の紙幣を除いて示すＡ−Ａ´断面矢視図である。【００６５】
図３(a)に示すように、一方の紙幣送出搬送路口２６は、断面が平行して形成され、紙幣を上下から案内する送出口３１の端部の図３(c)に破線ｚで囲んで示す所定の範囲の部分が図３(d)に示すように櫛歯状３３に形成されている。【００６６】
この紙幣送出搬送路口２６の送出口３１は、その両側部を、ヒンジ３４を支点にして回動する送出口保持部材３５に回動可能に保持され、図３(a)に示す非係合状態では、上方位置に回動している。送出口保持部材３５の回動自由端には紙幣繰入口２５の後述するレバー部材に摺接係合する丸棒状部材３６が設けられている。【００６７】
他方の紙幣繰入口２５は、紙幣を上下から案内する繰入口を、断面が平行する平行部３７と、この平行部３７に連続する外方向に末広がりの傾斜部３８とで形成されている傾斜部３８の全面と、この傾斜部３８に連続する平行部３７の所定の範囲の部分３２は櫛歯状３９に形成されている。【００６８】
この紙幣繰入口２５は、その両側部に、先端が外側に曲がりを形成されたレバー４１を備えている。図２(a)又は(b)に破線と実線で示したように、一時集積部ユニット１４又は１７のいずれかが、上部モジュール２２の一時集積部ユニット装着部に装着されるときは、ヒンジ２４に係合して、ヒンジ２４を支点にして回動する。【００６９】
この回動に伴われて、一時集積部ユニット１４又は１７の紙幣繰入口２５は、一時集積部ユニット１４又は１７と共に、図３(a)に示すように、矢印ｙ１で示す反時計回り方向に回動し始める。【００７０】
図３(b)の矢印ｙ２に示すように、回動が更に進むと、紙幣繰入口２５のレバー４１の下面部が、紙幣送出搬送路口２６の送出口３１の送出口保持部材３５の丸棒状部材３６に当接して押圧する。これにより、送出口３１がヒンジ３４を支点にして矢印ｙ３で示すように下方に回動する。【００７１】
また、この時点で、紙幣繰入口２５の櫛歯状３９に形成された櫛歯部の各櫛歯が、紙幣送出搬送路口２６の送出口３１の櫛歯状３３に形成された櫛歯部の各櫛歯と櫛歯の間隙に嵌入し始める。これにより紙幣繰入口２５の櫛歯状３９と紙幣送出搬送路口２６の送出口３１の櫛歯状３３との係合が開始される。【００７２】
図３(c),(d)は、回動と係合が完了した状態を示している。ここにおいて、紙幣を上下から案内する紙幣繰入口２５の平行部の上下の中心線の延長が、紙幣送出搬送路口２６の断面が平行して形成された端部の送出口３１の上下の中心線とほぼ一致するように位置設定される。【００７３】
紙幣送出搬送路口２６の、ヒンジ３４を支点にして回動した送出口３１は、設計と組立の段階で、図２(a),(b)に示した上部モジュール２２に厳格な精度で組み付けられているので、回動部の紙幣案内性に不連続を生じることは全くない。【００７４】
一方、紙幣繰入口２５と紙幣送出搬送路口２６との係合部は、櫛歯が相互に嵌入して図３(d)に示すオーバーラップ部３２を形成しているので、図３(c)に示す紙幣４２の矢印ｙ４で示す紙幣搬送方向には、搬送路に非接触の間隙が無く搬送路が連続している。【００７５】
また、オーバーラップ部３２の相互に嵌入している櫛歯との櫛歯の間には、装着時に生じる紙幣搬送方向に対する横方向の位置ズレを吸収するだけのオフセットを有するように全体が構成されている。【００７６】
また、紙幣送出搬送路口２６から紙幣４２を受け取る紙幣繰入口２５には、オーバーラップ部３２の先端に平行部３７に連続する末広がりの傾斜部３８が形成されているので、装着時に紙幣搬送方向に対する上下方向の位置ズレが生じていても、傾斜部３８が紙幣４２の先端を平行部３７に導入する。【００７７】
したがって、一時集積部ユニット１４又は１７を、上部モジュール２２に装着する際には、細かな位置決め等の調整をすることなく、一時集積部ユニット１４又は１７をヒンジ２４に係合させるための大枠の位置決めをするだけで装着部に装着して、何ら支障を生じることがない。【００７８】
図４は、上記構成の係合部を、図２(a),(b)に示す一時集積部ユニット１４又は１７の紙幣繰出口２７と、上部モジュール２２の紙幣受入搬送路口２８に適用した図である。回動と係合の動作は図３(a),(b),(c)で説明したので、図４は最終の係合状態のみを示している。【００７９】
但し、図３に示した固定側の紙幣送出搬送路口２６の係合部は、図４では回動側の紙幣繰出口２７の係合部になっており、図３に示した回動側の紙幣繰入口２５の係合部は、図４では、固定側の紙幣受入搬送路口２８の係合部となっている。
【実施例２】
【００８０】
図５(a)は、一時集積部ユニット１４又は１７が、上部モジュール２２に装着のため、図２(a)又は(b)の矢印ｉ又はｗで示すように回動を開始したことに伴って、実施例２に係る紙幣繰入口２５が実施例２に係る紙幣送出搬送路口２６に向けて回動を開始したことを示す図である。【００８１】
図５(b)は、上記の回動が進んで、紙幣繰入口２５が紙幣送出搬送路口２６に係合するす直前の状態を示す図、図５(c)は回動と係合が完了した状態を示す図、図５(d)は(c)の紙幣を除いて示すＢ−Ｂ´断面矢視図である。【００８２】
図５(a)に示すように、一方の紙幣送出搬送路口２６は、断面が平行して形成され、紙幣を上下から案内する平行部４３と、この平行部４３に連続し、外方向に末広がりに形成された傾斜部４４と、この傾斜部４４に連続し、平行部４３とは直交する方向に延びる立設部４５を備えている。【００８３】
更に、紙幣送出搬送路口２６は、傾斜部４４と立設部４５との境界線の近傍に配置された回動軸４６と、この回動軸４６に支持される回動部材４７と、搬送ローラ対４８とを備えている。【００８４】
上記平行部４３の傾斜部４４との連設部と、傾斜部４４と、立設部４５は、搬送ローラ対４８が配置されている部分は切り欠かれた形状で、残る部分は櫛歯状に形成されている。また、回動部材４７の後端部４７ｂ（図５(b),(c)参照）も搬送ローラ対４８が配置されている部分は切り欠かれた形状で、残る部分は櫛歯状に形成されている。【００８５】
また、回動部材４７の前端部４７ａ（図５(b),(c)参照）は、傾斜面を形成され、この傾斜面は、図５(c)に示す回動と係合が完了した状態で、後述する紙幣繰入口２５の傾斜部に当接して係合する。【００８６】
係合相手の紙幣繰入口２５は、図５(a)に示すように、紙幣を上下から案内する断面が平行する平行部４９と、この平行部４９に連続する外方向に末広がりの傾斜部５１と、この傾斜部５１に連続し、平行部４９とは直交する方向に延びる立設部５２と、搬送ローラ対５３を備えている。【００８７】
上記平行部４９の傾斜部５１との連設部と、傾斜部５１と、立設部５２の傾斜部５１との連設部は、搬送ローラ対５３が配置されている部分は切り欠かれた形状で構成されている。【００８８】
紙幣繰入口２５が、図５(a)に示す矢印Ｄ、図５(b)に示す矢印Ｅと順次回動しているときは、紙幣送出搬送路口２６側では、紙幣繰入口２５の回動端部の回動軌跡路を開放するために、すなわち紙幣繰入口２５との非接触の間隙を形成するために、回動部材４７は図５(a),(b)に示すように、立設部４５に沿う位置に回動している。【００８９】
そして、図５(c),(d)に示す回動と係合が完了した状態で、回動部材４７は、破線で示す立設部４５に沿う位置から矢印Ｆ及びＧで示すように、平行部４３の延長部を形成するように回動する。【００９０】
そして、回動部材４７は、一方では、その後端部４７ｂの櫛歯を、平行部４３と傾斜部４４との櫛歯に相互に嵌入させ、オーバーラップ部５４を形成して、平行部４３と連続する搬送路を形成する。【００９１】
そして、回動部材４７は、他方では、その傾斜面からなる前端部４７ａを、紙幣繰入口２５の傾斜部５１に当接させて、図５(c),(d)に示すように、紙幣繰入口２５の立設部４５と紙幣繰入口２５の立設部５２との距離に相当する離隔部５５を、平行部４３と連続する搬送路によって連結する。【００９２】
これにより、図５(c)に示す紙幣４２の矢印Ｈで示す紙幣搬送方向には、搬送路に非接触の間隙が無く搬送路が直線状に連続している。また、オーバーラップ部５４の相互に嵌入している櫛歯との櫛歯の間には、装着時に生じる紙幣搬送方向に対する横方向の位置ズレを吸収するオフセットを持たせてある。【００９３】
また、回動部材４７の後端部４７ｂは、その櫛歯が紙幣送出搬送路口２６の平行部４３の櫛歯に嵌入した状態で、平行部４３との連設部が末広がり状の紙幣導入部を形成する。そして、回動部材４７の前端部４７ａは、外側が斜めに削除された形状の斜面を形成してその斜面が紙幣繰入口２５の傾斜部５１に当接する。【００９４】
これにより、装着時に紙幣搬送方向に対する上下方向の位置ズレが生じていても、回動部材４７の後端部４７ｂの末広がり状の紙幣導入部が紙幣４２を下流に案内し、更に紙幣繰入口２５の傾斜部５１が紙幣４２を下流に案内する。【００９５】
したがって、一時集積部ユニット１４又は１７を、上部モジュール２２に装着する際には、細かな位置決め等の調整をすることなく、一時集積部ユニット１４又は１７をヒンジ２４に係合させるための大枠の位置決めをするだけで装着部に装着して、何ら支障を生じることがない。【００９６】
図６は、上記構成の係合部を、図２(a),(b)に示す一時集積部ユニット１４又は１７の紙幣繰出口２７と、上部モジュール２２の紙幣受入搬送路口２８に適用した図である。回動と係合の動作は図５(a),(b),(c)で説明したので、図６は最終の係合状態のみを示している。【００９７】
但し、図５に示した固定側の紙幣送出搬送路口２６の係合部は、図６では回動側の紙幣繰出口２７の係合部になっており、図５に示した回動側の紙幣繰入口２５の係合部は、図６では、固定側の紙幣受入搬送路口２８の係合部となっている。
【産業上の利用可能性】
【００９８】
本発明は、それぞれ異なる形式で構成された複数種類の一時集積部をユニット化して着脱自在に交換可能にする紙葉類取扱装置に利用することができる。
【符号の説明】
【００９９】
１  外部搬送路の送出口
２  一時集積部ユニットの繰入口
２ａ  平行部
２ｂ  末広がり部
２´  正常な装着位置
３  紙幣
４  外部搬送路の受入口
４ａ  平行部
４ｂ  末広がり部
５  一時集積部ユニットの繰出口
５´  正常な装着位置
１０  紙葉類取扱装置（ＡＴＭ(automated telling machine)）
１１  防護壁
１２  ＡＴＭ設置装置
１３  入出金口孔
１４  一時集積部ユニット
１５  スロット型の入出金口
１６  顧客
１７  一時集積部ユニット
１８  ＡＴＭ設置装置
１９  傾斜する前部外壁
２０  不可券一時保留部
２１  入出金口
２２  上部モジュール
２３  下部モジュール
２４  ヒンジ
２５  紙幣繰入口
２６  紙幣送出搬送路口
２７  紙幣繰出口
２８  紙幣受入搬送路口
２９  紙幣繰出部
３０  紙幣繰入部
３１  送出口
３２  所定の範囲の部分
３３  櫛歯状
３４  ヒンジ
３５  送出口保持部材
３６  丸棒状部材
３７  平行部
３８  傾斜部
３９  櫛歯状
４１  レバー
４２  紙幣
４３  平行部
４４  傾斜部
４５  立設部
４６  回動軸
４７  回動部材
４７ａ  前端部
４７ｂ  後端部
４８  搬送ローラ対
４９  平行部
５１  傾斜部
５２  立設部
５３  搬送ローラ対
５４  オーバーラップ部
５５  離隔部
【図１】
0005632093.tif 000002
【図２】
0005632093.tif 000003
【図３】
0005632093.tif 000004
【図４】
0005632093.tif 000005
【図５】
0005632093.tif 000006
【図６】
0005632093.tif 000007
【図７】
0005632093.tif 000008
【図８】
0005632093.tif 000009